(57)【要約】【課題】簡素な構造で、衣服の着脱が容易であり、布地の厚い部分であっても安定して挟持することができる衣料用ハンガーを提供する。【解決手段】衣料用ハンガー１００は、水平バーなどの支持体Ｂに引っ掛け可能なフック部１と、フック部１の下方に連設された山形のハンガー部２と、ハンガー部２の左右に配置された一対のピンチ部１０，１０と、を備え、ピンチ部１０は、固定挟持片１１、主ヒンジ部１２と、可動挟持片１３と、副ヒンジ部１４から傾斜状に延設された滑落防止バー１５と、主ヒンジ部１２と副ヒンジ部１４との間の位置に突設された係合杆１６と、主ヒンジ部１２を折り曲げて可動挟持片１３を固定挟持片１１に重ね合わせたとき、可動挟持片１３において係合杆１６の先端部分が挿通可能な位置に開設された係合孔１７と、係合孔１７に挿通された係合杆１６を着脱可能に係止する鉤状部１６ｂと、を備えている。【選択図】図１
2019170528.tif 000002
【特許請求の範囲】
【請求項１】
本発明の衣料用ハンガーは、支持体に引っ掛け可能なフック部と、前記フック部の下方に連設された山形のハンガー部と、前記ハンガー部の左右に配置された一対のピンチ部と、を備え、
前記ピンチ部が、
前記ハンガー部から垂下する固定挟持片と、
前記固定挟持片の上部の主ヒンジ部を介して前記固定挟持片に対し接近・離隔可能に設けられた可動挟持片と、
前記固定挟持片の前記主ヒンジ部寄り部分に突設された副ヒンジ部から前記固定挟持片の先端に向かって延設された滑落防止バーと、
前記固定挟持片において前記主ヒンジ部と前記副ヒンジ部との間の位置に突設された係合杆と、
前記主ヒンジ部を折り曲げて前記可動挟持片を前記固定挟持片に重ね合わせたとき、前記可動挟持片において前記係合杆が挿通可能な位置に開設された係合孔と、
前記係合孔に挿通された前記係合杆を着脱可能に係止する係止手段と、を備えた衣料用ハンガー。
【請求項２】
前記主ヒンジ部を折り曲げ前記可動挟持片を前記固定挟持片に重ね合わせる過程において、前記係合杆を前記係合孔内に誘導するガイド部を前記可動挟持片に設けた請求項１記載の衣料用ハンガー。
【請求項３】
前記滑落防止バーに、滑り止め手段を有する拡大部を設けた請求項１または２記載の衣料用ハンガー。
【請求項４】
前記係止手段として、前記係合孔の内周縁に係合可能な鉤状部を前記係合杆に設けた請求項１〜３の何れかの項に記載の衣料用ハンガー。
【請求項５】
前記係合孔に挿通された前記係合杆を前記可動挟持片の先端側へ傾動させると、前記鉤状部が前記係合孔の内周縁から離脱する機能を有する請求項４記載の衣料用ハンガー。
【発明の詳細な説明】
【技術分野】
【０００１】
本発明は、ズボンやスカートなどを吊り下げ保持するための衣料用ハンガーに関する。
【背景技術】
【０００２】
ズボンやスカートのウエスト部分を挟持することによって吊り下げ状態に保持することができる衣料用ハンガーについては、従来、様々な形状、機能を有するものが提案されているが、本発明に関連するものとして、例えば、特許文献１記載の「衣料用ハンガー」、特許文献２記載の「クリップ及びこれを備えるハンガー」、特許文献３記載の「三叉衣類バサミ」及び特許文献４記載の「スカートハンガー」などがある（以下、衣料用ハンガーと総称する。）。
【先行技術文献】
【特許文献】
【０００３】
【特許文献１】特開２０１２−８５９５３号公報
【特許文献２】特開２００７−２０９７３８号公報
【特許文献３】特開２００４−２３７０３８号公報
【特許文献４】登録実用新案第３０４７１１２号公報
【発明の概要】
【発明が解決しようとする課題】
【０００４】
特許文献１〜４に記載された衣料用ハンガーはそれぞれ被挟持物の滑落を防止するための様々な工夫がなされているが、構造が複雑であったり、衣服の着脱が面倒であったり、ズボンやスカートのウエスト部分のように布地の厚い部分を挟持するのが困難であったり、挟持力が十分でないなどの問題がある。
【０００５】
そこで、本発明が解決しようとする課題は、簡素な構造で、衣服の着脱が容易であり、布地の厚い部分であっても安定して挟持することができる衣料用ハンガーを提供することにある。
【課題を解決するための手段】
【０００６】
本発明の衣料用ハンガーは、
支持体に引っ掛け可能なフック部と、前記フック部の下方に連設された山形のハンガー部と、前記ハンガー部の左右に配置された一対のピンチ部と、を備え、
前記ピンチ部が、
前記ハンガー部から垂下する固定挟持片と、
前記固定挟持片の上部の主ヒンジ部を介して前記固定挟持片に対し接近・離隔可能に設けられた可動挟持片と、
前記固定挟持片の前記主ヒンジ部寄り部分に突設された副ヒンジ部から前記固定挟持片の先端に向かって延設された滑落防止バーと、
前記固定挟持片において前記主ヒンジ部と前記副ヒンジ部との間の位置に突設された係合杆と、
前記主ヒンジ部を折り曲げて前記可動挟持片を前記固定挟持片に重ね合わせたとき、前記可動挟持片において前記係合杆が挿通可能な位置に開設された係合孔と、
前記係合孔に挿通された前記係合杆を着脱可能に係止する係止手段と、を備えたことを特徴とする。
【０００７】
前記衣料用ハンガーにおいては、前記主ヒンジ部を折り曲げ前記可動挟持片を前記固定挟持片に重ね合わせる過程において、前記係合杆を前記係合孔内に誘導するガイド部を前記可動挟持片に設けることが望ましい。
【０００８】
前記衣料用ハンガーにおいては、前記滑落防止バーに、滑り止め手段を有する拡大部を設けることが望ましい。
【０００９】
前記衣料用ハンガーにおいては、前記係止手段として、前記係合孔の内周縁に係合可能な鉤状部を前記係合杆に設けることが望ましい。
【００１０】
前記衣料用ハンガーにおいては、前記係合孔に挿通された前記係合杆を前記可動挟持片の先端側へ傾動させると、前記鉤状部が前記係合孔の内周縁から離脱する機能を設けることが望ましい。
【発明の効果】
【００１１】
本発明により、簡素な構造で、衣服の着脱が容易であり、布地の厚い部分であっても安定して挟持することができる衣料用ハンガーを提供することができる。
【図面の簡単な説明】
【００１２】
【図１】本発明の実施形態である衣料用ハンガーをピンチ部全開状態で示す正面図である。
【図２】図１に示す衣料用ハンガーの左側面図である。
【図３】図２に示す衣料用ハンガーのピンチ部付近の一部省略拡大図である。
【図４】図３に示すピンチ部の一部省略斜視図である。
【図５】図１に示す衣料用ハンガーをピンチ部半開状態で示す斜視図である。
【図６】図５中の矢線Ｒ方向から見たピンチ部の一部省略左側面図である。
【図７】図６に示すピンチ部が閉止状態にあるときの一部省略左側面である。
【発明を実施するための形態】
【００１３】
以下、図１〜図７に基づいて、本発明の実施形態である衣料用ハンガー１００について説明する。なお、本実施形態においては、図１中に示す矢線Ｈ方向を左右方向（若しくは水平方向）と称し、矢線Ｖ方向を上下方向（若しくは鉛直方向）と称し、図２中の矢線Ｆ方向を正面側と称し、矢線Ｒ方向を背面側と称する。
【００１４】
図１，図２並びに図５に示すように、本実施形態の衣料用ハンガー１００は、水平バーなどの支持体Ｂに引っ掛け可能なフック部１と、フック部１の下方に連設された山形のハンガー部２と、ハンガー部２の左右に配置された一対のピンチ部１０，１０と、を備えている。左右のピンチ部１０，１０は、ハンガー部２の左右方向の中心線Ｃを挟んで鏡面対称な構造を成している。
【００１５】
ハンガー部２は、フック部１の下端部から八字状に拡がるように延設された肩部３，３と、肩部３，３の下端部同士を連結する水平補強部４と、フック部１の下端部と水平補強部４の左右方向の中心とを連結する垂直補強部５と、を備えている。
【００１６】
ピンチ部１０，１０は、ハンガー部２の左右の端部からそれぞれ垂下する固定挟持片１１と、主ヒンジ部１２と、可動挟持片１３と、副ヒンジ部１４と、滑落防止バー１５と、係合杆１６と、係合孔１７と、を備えている。ハンガー部２の水平補強部４の左右端部付近とピンチ部１０，１０との間にはそれぞれ筋交い１９，１９が設けられている。
【００１７】
図１〜図４に示すように、固定挟持片１１は上下方向に長いリング形状であり、その先端部１１ａが正面方向に折れ曲がっている。可動挟持片１３の側面視形状は全体的に円弧状をなし、図７に示すようにピンチ部１０が閉止状態にあるとき、凸曲面１３ｂが正面側を向き、凹曲面１３ｃが背面側（固定挟持片１１側）を向くように形成されている。可動挟持片１３の先端部１３ｄは凸曲面１３ｂ側へ折れ曲がっている。また、可動挟持片１３の先端部１３ｄ付近には滑らかに縮幅した括れ部１３ｅが設けられ、凹曲面１３ｃ側には、リブ１３ｆと、リブ１３ｆを挟む凹溝１３ｇが設けられている。
【００１８】
図３，図４に示すように、ピンチ部１０において、可動挟持片１３は、固定挟持片１１の上部の主ヒンジ部１２を折り曲げることにより、固定挟持片１１に対し矢線１３ａ方向に沿って接近・離隔可能である。滑落防止バー１５は、固定挟持片１１の主ヒンジ部１２寄り部分に突設された副ヒンジ部１４から固定挟持片１１の先端部１１ａに向かって傾斜状に延設され、矢線１５ａ方向に沿って弾性的に傾動可能である。滑落防止バー１５の先端には、矢線１５ａ，１５ａ両方向にそれぞれ山形を成すように突出した拡大部１５ｂが設けられている。図２に示すように、拡大部１５ｂを形成する二つの頂上部分には、それぞれ滑り止め手段として、水平方向を長手方向とする複数のＶ溝１５ｃ及び突条１５ｄが形成されている。
【００１９】
係合杆１６は、固定挟持片１１において主ヒンジ部１２と副ヒンジ部１４との間の位置に主ヒンジ部１２に向かって傾斜した状態に突設され、矢線１６ａ方向に沿って弾性的に傾動可能である。後述する図７に示すように、主ヒンジ部１２を折り曲げて可動挟持片１３を固定挟持片１１に重ね合わせたとき、可動挟持片１３において係合杆１６の先端部分が挿通可能な位置に係合孔１７が開設されている。係合杆１６の先端側には、係合孔１７に挿通された係合杆１６を着脱可能に係止する係止手段である鉤状部１６ｂが設けられている。
【００２０】
衣料用ハンガー１００においては、主ヒンジ部１２を折り曲げ、可動挟持片１３を固定挟持片１１に重ね合わせる過程において、係合杆１６の先端部分を係合孔１７内に誘導するためのガイド部１８が、可動挟持片１３の凹曲面１３ｃ側の係合孔１７の周縁の一部に設けられている。
【００２１】
主ヒンジ部１２を折り曲げ、可動挟持片１３を固定挟持片１１に接近させていくと、係合杆１６の先端側の傾斜面１６ｃがガイド部１８に接触し、ガイド部１８に沿って摺動していくことにより、係合杆１６の先端部分が主ヒンジ部１２から離れる方向へ弾性的に傾斜しながら係合孔１７内へ誘導される。
【００２２】
係合杆１６の先端部分が係合孔１７内に進入していき、係合杆１６の鉤状部１６ｂが可動挟持片１３の凸曲面１３ｂから突出すると、その直後に、係合杆１６の弾性復元力により鉤状部１６ｂが、可動挟持片１３の凸曲面１３ｂ側の係合孔１７の周縁の一部に設けられた突起１７ａと嵌合し、図７に示すように、ピンチ部１０は閉止状態に保持される。
【００２３】
図７に示すように、ピンチ部１０が閉止状態にあるとき、滑落防止バー１５の先端の拡大部１５ｂの二つの頂上部分（Ｖ溝１５ｃ及び突条１５ｄがある部分）は、それぞれ固定挟持片１１の先端部１１ａ、可動挟持片１３の先端部１３ｄに接触した状態で挟持されている。
【００２４】
一方、図７に示すピンチ部１０が閉止状態にある衣料用ハンガー１００において、係合孔１７に挿通され可動挟持片１３の凸曲面１３ｂから突出している係合杆１６の先端部分を可動挟持片１３の先端部１３ｄ側（矢線Ｐ方向）へ傾動させると、鉤状部１６ｂが係合孔１７の周縁の突起１７ａから離脱し、主ヒンジ部１２及び可動挟持片１３の弾性復元力により、可動挟持片１３は固定挟持片１１から離れる。これにより、ピンチ部１０は、図５，図６に示すように、半開状態となる。
【００２５】
次に、図１，図２，図５〜図７に基づいて、衣料用ハンガー１００の使い方について説明する。衣料用ハンガー１００は合成樹脂を使用して射出成形によって一体的に製作され、製作直後の衣料用ハンガー１００は、図１，図２に示すように、可動挟持片１３が主ヒンジ部１２の上方で垂直に起立し、ピンチ部１０が全開状態にあり、この状態では、ハンガー部２、固定挟持片１１及び可動挟持片１３は平坦な形状をなしている。
【００２６】
前述したように、図１，図２に示す製作直後の衣料用ハンガー１００のピンチ部１０を図７に示すように閉止状態にした後、係合杆１６の鉤状部１６ｂを可動挟持片１３の係合孔１７の周縁の突起１７ａから離脱させると、主ヒンジ部１２及び可動挟持片１３の弾性復元力により、可動挟持片１３は固定挟持片１１から離れるが、主ヒンジ部１２が若干塑性変形するので、ピンチ部１０は、図５，図６に示すような半開状態または可動挟持片１３がもう少し固定挟持片１１から離れて係合孔１７が係合杆１６から離れた状態となる。
【００２７】
図５に示すように左右のピンチ部１０，１０が半開状態にある衣料用ハンガー１００に対し、図６に示すようにズボンやスカートなどのウエスト部Ｗを装着する。具体的には、ウエスト部Ｗを左右に広げ、左右のピンチ部１０，１０の滑落防止バー１５，１５を、ウエスト部Ｗを構成する前布地Ｗｆと後布地Ｗｒとの間に差し込むことにより、前布地Ｗｆが可動挟持片１３，１３と滑落防止バー１５，１５との間に位置し、後布地Ｗｒが滑落防止バー１５，１５と固定挟持片１１，１１との間に位置するようにセットする。
【００２８】
この後、左右の可動挟持片１３，１３をそれぞれ固定挟持片１１，１１に接近させ、可動挟持片１３，１３をそれぞれ固定挟持片１１，１１に対向させ、可動挟持片１３，１３が固定挟持片１１，１１に更に接近するように押圧する。これにより、係合杆１６の先端部分が主ヒンジ部１２から離れる方向へ弾性的に傾斜しながら係合杆１６の先端部分が係合孔１７内に進入していき、係合杆１６の鉤状部１６ｂが可動挟持片１３の凸曲面１３ｂから突出した直後に係合杆１６の弾性復元力により鉤状部１６ｂが、可動挟持片１３の凸曲面１３ｂ側の係合孔１７の周縁の一部に設けられた突起１７ａと嵌合し、図７に示すように、ピンチ部１０は閉止状態に保持される。
【００２９】
これにより、ウエスト部Ｗの前布地Ｗｆの一部が可動挟持片１３，１３の先端部１３ｄ，１３ｄと滑落防止バー１５，１５の拡大部１５ｂ，１５ｂとの間に挟持され、後布地Ｗｒの一部が滑落防止バー１５，１５の拡大部１５ｂ，１５ｂと固定挟持片１１，１１の先端部１１ａ，１１ａとの間に挟持されるので、ズボンやスカートなどは落下することなく、衣料用ハンガー１００に吊下げ状態で保持される。
【００３０】
衣料用ハンガー１００に吊下げ保持されたズボンやスカートなどのウエスト部Ｗの前布地Ｗｆの一部は可動挟持片１３，１３の先端部１３ｄ，１３ｄと滑落防止バー１５，１５の拡大部１５ｂ，１５ｂとの間に挟持され、後布地Ｗｒの一部は滑落防止バー１５，１５の拡大部１５ｂ，１５ｂと固定挟持片１１，１１の先端部１１ａ，１１ａとの間に挟持されるので、布地の厚い部分であっても安定して挟持することができる。
【００３１】
衣料用ハンガー１００に吊下げ保持されたズボンやスカートなどを衣料用ハンガー１００から取り外す場合は、前述したように、可動挟持片１３，１３の凸曲面１３ｂ，１３ｂから突出している係合杆１６，１６の先端部分をそれぞれ可動挟持片１３，１３の先端部１３ｄ，１３ｄ側（矢線Ｐ方向）へ傾動させると、鉤状部１６ｂ，１６ｂが突起１７ａ，１７ａから離脱し、主ヒンジ部１２，１２及び可動挟持部１３，１３の弾性復元力により、可動挟持部１３，１３は固定挟持片１１，１１から離れる。これにより、ピンチ部１０，１０は、図５，図６に示すように、半開状態となるので、ズボンやスカートなどのウエスト部Ｗはピンチ部１０，１０から離脱させることができる。
【００３２】
このように、衣料用ハンガー１００に対するズボンやスカートなどのウエスト部Ｗの装着作業は可動挟持部片１３，１３と固定挟持片１１，１１とを接近させる押圧操作で行うことができ、可動挟持片１３，１３の凸曲面１３ｂ，１３ｂから突出している係合杆１６，１６の先端部分をそれぞれ可動挟持片１３，１３の先端部１３ｄ，１３ｄ側（矢線Ｐ方向）へ傾動させると、ズボンやスカートなどのウエスト部Ｗは衣料用ハンガー１００から離脱可能となるので、衣服の着脱が容易である。
【００３３】
また、図１，図２に示すように、衣料用ハンガー１００は、水平バーなどの支持体Ｂに引っ掛け可能なフック部１と、フック部１の下方に連設された山形のハンガー部２と、ハンガー部２の左右に配置された一対のピンチ部１０，１０と、を備えているが、合成樹脂を用いて一体成形することが可能な簡素な構造である。
【００３４】
なお、図１〜図７に基づいて説明した衣料用ハンガー１００は、本発明の衣料用ハンガーの一例を示すものであり、本発明の衣料用ハンガーは前述した衣料用ハンガー１００に限定されない。
【産業上の利用可能性】
【００３５】
本発明に係る衣料用ハンガーは、クリーニング業界、アパレル業界などの産業分野において広く利用することができる。
【符号の説明】
【００３６】
１  フック部
２  ハンガー部
３  肩部
４  水平補強部
５  垂直補強部
１０  ピンチ部
１１  固定挟持片
１１ａ，１３ｄ  先端部
１２  主ヒンジ部
１３  可動挟持片
１３ｂ  凸曲面
１３ｃ  凹曲面
１３ｅ  括れ部
１３ｆ  リブ
１３ｇ  凹溝
１４  副ヒンジ部
１５  滑落防止バー
１５ｂ  拡大部
１６  係合杆
１６ｂ  鉤状部
１６ｃ  傾斜面
１７  係合孔
１７ａ  突起
１８  ガイド部
１９  筋交い
１００  衣料用ハンガー
Ｂ  支持体
Ｃ  中心線
Ｗ  ウエスト部
Ｗｆ  前布地
Ｗｒ  後布地
【図１】
2019170528.tif 000003
【図２】
2019170528.tif 000004
【図３】
2019170528.tif 000005
【図４】
2019170528.tif 000006
【図５】
2019170528.tif 000007
【図６】
2019170528.tif 000008
【図７】
2019170528.tif 000009
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
支持体に引っ掛け可能なフック部と、前記フック部の下方に連設された山形のハンガー部と、前記ハンガー部の左右に配置された一対のピンチ部と、を備えた合成樹脂製の衣料用ハンガーであって、
前記ピンチ部が、
前記ハンガー部から垂下する固定挟持片と、
前記固定挟持片の上部の主ヒンジ部を介して前記固定挟持片に対し接近・離隔可能に設けられた可動挟持片と、
前記固定挟持片の前記主ヒンジ部寄り部分に突設された副ヒンジ部から前記固定挟持片の先端に向かって延設され、前記固定挟持片に対し接近・離隔する方向に沿って弾性的に傾動な滑落防止バーと、
前記固定挟持片において前記主ヒンジ部と前記副ヒンジ部との間の位置に突設された係合杆と、
前記主ヒンジ部を折り曲げて前記可動挟持片を前記固定挟持片に重ね合わせたとき、前記可動挟持片において前記係合杆が挿通可能な位置に開設された係合孔と、
前記係合孔に挿通された前記係合杆を着脱可能に係止する係止手段と、を備え、
前記滑落防止バーの先端に、前記固定挟持片に対し接近・離隔する方向にそれぞれ山形を成すように突出した拡大部を設けた衣料用ハンガー。
【請求項２】
前記主ヒンジ部を折り曲げ前記可動挟持片を前記固定挟持片に重ね合わせる過程において、前記係合杆を前記係合孔内に誘導するガイド部を前記可動挟持片に設けた請求項１記載の衣料用ハンガー。
【請求項３】
前記滑落防止バーの前記拡大部を形成する二つの頂上部分に、それぞれ滑り止め手段を設けた請求項１または２記載の衣料用ハンガー。
【請求項４】
前記係止手段として、前記係合孔の内周縁に係合可能な鉤状部を前記係合杆に設けた請求項１〜３の何れかの項に記載の衣料用ハンガー。
【請求項５】
前記係合孔に挿通された前記係合杆を前記可動挟持片の先端側へ傾動させると、前記鉤状部が前記係合孔の内周縁から離脱する機能を有する請求項４記載の衣料用ハンガー。
【手続補正２】
【補正対象書類名】明細書
【補正対象項目名】０００６
【補正方法】変更
【補正の内容】
【０００６】
本発明の衣料用ハンガーは、
支持体に引っ掛け可能なフック部と、前記フック部の下方に連設された山形のハンガー部と、前記ハンガー部の左右に配置された一対のピンチ部と、を備えた合成樹脂製の衣料用ハンガーであって、
前記ピンチ部が、
前記ハンガー部から垂下する固定挟持片と、
前記固定挟持片の上部の主ヒンジ部を介して前記固定挟持片に対し接近・離隔可能に設けられた可動挟持片と、
前記固定挟持片の前記主ヒンジ部寄り部分に突設された副ヒンジ部から前記固定挟持片の先端に向かって延設され、前記固定挟持片に対し接近・離隔する方向に沿って弾性的に傾動な滑落防止バーと、
前記固定挟持片において前記主ヒンジ部と前記副ヒンジ部との間の位置に突設された係合杆と、
前記主ヒンジ部を折り曲げて前記可動挟持片を前記固定挟持片に重ね合わせたとき、前記可動挟持片において前記係合杆が挿通可能な位置に開設された係合孔と、
前記係合孔に挿通された前記係合杆を着脱可能に係止する係止手段と、を備え、
前記滑落防止バーの先端に、前記固定挟持片に対し接近・離隔する方向にそれぞれ山形を成すように突出した拡大部を設けたことを特徴とする。
【手続補正３】
【補正対象書類名】明細書
【補正対象項目名】０００８
【補正方法】変更
【補正の内容】
【０００８】
前記衣料用ハンガーにおいては、前記滑落防止バーの前記拡大部を形成する二つの頂上部分に、それぞれ滑り止め手段を設けることが望ましい。
【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
支持体に引っ掛け可能なフック部と、前記フック部の下方に連設された山形のハンガー部と、前記ハンガー部の左右に配置された一対のピンチ部と、を備え、合成樹脂で一体成形された衣料用ハンガーであって、
前記ピンチ部が、
前記ハンガー部から垂下する固定挟持片と、
前記固定挟持片の上部の主ヒンジ部を介して前記固定挟持片に対し接近・離隔可能に設けられた可動挟持片と、
前記固定挟持片の前記主ヒンジ部寄り部分に突設された副ヒンジ部から前記固定挟持片の先端に向かって延設され、前記固定挟持片に対し接近・離隔する方向に沿って弾性的に傾動な滑落防止バーと、
前記固定挟持片において前記主ヒンジ部と前記副ヒンジ部との間の位置に突設された係合杆と、
前記主ヒンジ部を折り曲げて前記可動挟持片を前記固定挟持片に重ね合わせたとき、前記可動挟持片において前記係合杆が挿通可能な位置に開設された係合孔と、
前記係合孔に挿通された前記係合杆を着脱可能に係止する係止手段と、を備え、
前記滑落防止バーの先端に、前記固定挟持片に対し接近・離隔する方向にそれぞれ山形を成すように突出した拡大部を設け、前記拡大部を形成する二つの頂上部分に、それぞれ滑り止め手段を設けた衣料用ハンガー。
【請求項２】
前記主ヒンジ部を折り曲げ前記可動挟持片を前記固定挟持片に重ね合わせる過程において、前記係合杆を前記係合孔内に誘導するガイド部を前記可動挟持片に設けた請求項１記載の衣料用ハンガー。
【請求項３】
前記係止手段として、前記係合孔の内周縁に係合可能な鉤状部を前記係合杆に設けた請求項１または２記載の衣料用ハンガー。
【請求項４】
前記係合孔に挿通された前記係合杆を前記可動挟持片の先端側へ傾動させると、前記鉤状部が前記係合孔の内周縁から離脱する機能を有する請求項３記載の衣料用ハンガー。
【手続補正２】
【補正対象書類名】明細書
【補正対象項目名】０００６
【補正方法】変更
【補正の内容】
【０００６】
本発明の衣料用ハンガーは、
支持体に引っ掛け可能なフック部と、前記フック部の下方に連設された山形のハンガー部と、前記ハンガー部の左右に配置された一対のピンチ部と、を備え、合成樹脂で一体成形された衣料用ハンガーであって、
前記ピンチ部が、
前記ハンガー部から垂下する固定挟持片と、
前記固定挟持片の上部の主ヒンジ部を介して前記固定挟持片に対し接近・離隔可能に設けられた可動挟持片と、
前記固定挟持片の前記主ヒンジ部寄り部分に突設された副ヒンジ部から前記固定挟持片の先端に向かって延設され、前記固定挟持片に対し接近・離隔する方向に沿って弾性的に傾動な滑落防止バーと、
前記固定挟持片において前記主ヒンジ部と前記副ヒンジ部との間の位置に突設された係合杆と、
前記主ヒンジ部を折り曲げて前記可動挟持片を前記固定挟持片に重ね合わせたとき、前記可動挟持片において前記係合杆が挿通可能な位置に開設された係合孔と、
前記係合孔に挿通された前記係合杆を着脱可能に係止する係止手段と、を備え、
前記滑落防止バーの先端に、前記固定挟持片に対し接近・離隔する方向にそれぞれ山形を成すように突出した拡大部を設け、前記拡大部を形成する二つの頂上部分に、それぞれ滑り止め手段を設けたことを特徴とする。
【手続補正３】
【補正対象書類名】明細書
【補正対象項目名】０００８
【補正方法】変更
【補正の内容】
【０００８】
前記衣料用ハンガーにおいては、前記滑落防止バーの前記拡大部を形成する二つの頂上部分に、それぞれ滑り止め手段を設けている。